(57)【要約】【課題】機器で発生したエラーに対して、技術者の手配が必要か否かを自動で判断することを提供する。【解決手段】監視システムは、機器で発生するエラーに対応付けて、エラーに対応する技術者の手配状況を表す手配状況を記憶するエラー記憶手段と、機器から受信したエラーに該当するエラーが、エラー記憶手段に存在しない場合は、手配状況を手配が済んでいないことを示す未手配として、エラーと共にエラー情報記憶手段へ記憶する手配状況登録手段と、エラー記憶手段によって記憶されたエラーに対応する手配状況が未手配の場合、オペレータへ通知を行う通知手段と、エラー記憶手段によって記憶された手配状況が未手配のエラーに対して、エラーに対応する技術者名を設定すると共に、手配状況を技術者手配済とする設定手段と、エラー情報記憶手段に記憶されたエラーを表示するための表示手段と、を備えた。【選択図】図４
2010157143.tif 000002
【特許請求の範囲】
【請求項１】
複数の機器とネットワークを介して接続されており、前記複数の機器において発生するエラーを監視する監視システムからなる警告表示システムであって、
前記監視システムは、
機器において発生するエラーの内容及び前記機器を識別するための情報からなるエラー情報に対応付けて、前記エラーに対応する技術者の手配状況を表す手配状況情報を記憶するエラー記憶手段と、
機器から送信される前記エラー情報を受信する受信手段と、
前記受信手段によって受信したエラー情報に該当するエラー情報が、前記エラー記憶手段に存在しない場合は、手配状況情報を手配が済んでいないことを示す未手配として、前記エラー情報と共にエラー情報記憶手段へ記憶する手配状況登録手段と、
前記エラー記憶手段によって記憶されたエラー情報に対応する手配状況情報が未手配の場合、オペレータへ通知を行う通知手段と、
前記エラー記憶手段によって記憶された手配状況情報が未手配のエラー情報に対して、前記エラーに対応する技術者名を設定すると共に、前記手配状況情報を技術者手配済とする設定手段と、
前記エラー情報記憶手段に記憶されたエラー情報を表示するための表示手段と、
を備えたことを特徴とする警告表示システム。
【請求項２】
前記監視システムは、
前記エラー情報記憶手段に記憶された手配状況情報が技術者手配済であるエラー情報に対して、修理または故障調査が完了したことを示す修理故障調査済を設定する修理故障調査設定手段を、更に備え、
前記手配状況登録手段は、前記受信手段によって受信したエラー情報に該当するエラー情報が、前記エラー記憶手段に存在し、前記エラー記憶手段に記憶した前記エラー情報に対応する手配状況情報が、修理故障調査済である場合、前記受信したエラー情報と共に、手配状況情報を未手配としてエラー情報記憶手段へ記憶することを特徴とする請求項１に記載の警告表示システム。
【請求項３】
前記手配状況登録手段によってエラー情報と手配状況情報をエラー情報へ記憶する際に、エラー発生回数を１回として登録することを特徴とする請求項１または請求項２に記載の警告表示システム。
【請求項４】
前記エラー情報は、機器で発生したエラー発生日時を含むと共に、前記手配状況登録手段によって、前記受信手段によって受信したエラー情報に該当するエラー情報が、前記エラー記憶手段に存在し、前記エラー記憶手段に記憶した前記エラー情報に対応する手配状況情報が、修理故障調査済でない場合、前記受信したエラー情報、手配状況情報を未手配、最新のレコードのエラー発生回数に１を加算したエラー発生回数をエラー情報記憶手段へ記憶することを特徴とする請求項２または請求項３に記載の警告表示システム。
【請求項５】
前記監視システムは、
前記エラーの内容に対応付けて技術者の手配を必要とすべくエラー発生回数を記憶するエラー内容別回数記憶手段を、更に備え、
前記設定手段は、前記エラー情報記憶手段によって記憶されたエラー情報に対応する手配状況情報が未手配であり、前記エラー情報に含まれるエラーの内容が、エラー内容別回数記憶手段に存在し、前記エラー情報に対応するエラー発生回数が、前記エラーの内容に対応する必要とすべくエラー発生回数以上である場合、前記エラーに対応する技術者を設定すると共に、前記手配状況情報を技術者手配済とすることを特徴とする請求項４に記載の警告表示システム。
【請求項６】
前記設定手段において、前記エラー情報に対応するエラー発生回数が、前記エラーの内容に対応する必要とすべくエラー発生回数未満である場合、前記エラー情報に対応する前記手配状況情報を技術者手配不要とすることを特徴とする請求項５に記載の警告表示システム。
【請求項７】
前記手配状況登録手段によって、前記受信手段によって受信したエラー情報に該当するエラー情報が、前記エラー記憶手段に存在し、前記エラー記憶手段に記憶した前記エラー情報に対応する手配状況情報が、修理故障調査済でなく、技術者手配不要である場合、前記受信したエラー情報、手配状況情報を技術者手配済、最新のレコードのエラー発生回数に１を加算したエラー発生回数をエラー情報記憶手段へ記憶することを特徴とする請求項６に記載の警告表示システム。
【請求項８】
前記設定手段によって技術者が設定された場合、前記技術者へ通知を行うことを特徴とすることを特徴とする請求項１乃至請求項７に記載の警告表示システム。
【請求項９】
前記表示手段は、前記エラー情報記憶手段に記憶された手配状況情報が修理故障調査済のエラー情報を非表示とすることを特徴とする請求項２乃至請求項８に記載の警告表示システム。
【請求項１０】
前記表示手段は、前記エラー情報記憶手段に記憶された技術者名が未設定のエラー情報を網掛表示とすることを特徴とする請求項２乃至請求項９に記載の警告表示システム。
【請求項１１】
複数の機器とネットワークを介して接続されており、前記複数の機器において発生するエラーを監視する監視システムからなる警告表示システムの制御方法であって、
前記監視システムは、
機器において発生するエラーの内容及び前記機器を識別するための情報からなるエラー情報に対応付けて、前記エラーに対応する技術者の手配状況を表す手配状況情報を記憶するエラー記憶工程と、
機器から送信される前記エラー情報を受信する受信工程と、
前記受信工程において受信したエラー情報に該当するエラー情報が、前記エラー記憶工程において存在しないと判定された場合は、手配状況情報を手配が済んでいないことを示す未手配として、前記エラー情報と共にエラー情報記憶工程へ記憶する手配状況登録工程と、
前記エラー記憶工程において記憶されたエラー情報に対応する手配状況情報が未手配の場合、オペレータへ通知を行う通知工程と、
前記エラー記憶工程において記憶された手配状況情報が未手配のエラー情報に対して、前記エラーに対応する技術者名を設定すると共に、前記手配状況情報を技術者手配済とする設定工程と、
前記エラー情報記憶工程に記憶されたエラー情報を表示するための表示工程と、
を備えたことを特徴とする警告表示システムの制御方法。
【請求項１２】
請求項１１に記載の警告表示システムの制御方法をコンピュータに実行させるためのコンピュータに読取り可能なプログラム。
【請求項１３】
請求項１２に記載のプログラムを記録したコンピュータで読取り可能な記録媒体。
【発明の詳細な説明】
【技術分野】
【０００１】
本発明は、ネットワークを介して接続された複数の各機器の稼動中に発生するエラーを警告する警告表示システム、警告表示方法、プログラム及び記録媒体に関するものである。
【背景技術】
【０００２】
機器に何かしらの故障が発生すると、各機器にネットワークを介して接続された監視システムが、その故障に関するエラー情報を受信し、受信したエラー情報をデータベースに記憶させた後、エラー情報（エラー発生日時、機器名称、機番等からなる）をコンソール画面に表示する警告表示システムが知られている。
【０００３】
この警告表示システムは、複数の機器からのエラー情報が、受信順にコンソール画面に表示され、同一機器及び同一エラー情報の場合においても、それらを受信順に表示させ、コンソール画面を監視及び管理しているオペレータは、機器からのエラー情報の内容を順次確認し、重要または不要エラー等の整理を行う。
【０００４】
オペレータは、メールあるいは電話で、エラー情報を技術者へ連絡し、連絡を受けた技術者は、機器の修理または故障調査の内容を修理・故障調査に関する情報を記憶したデータベースを参照確認し、故障発生場所へ出向いている。
【０００５】
また、制御装置が有する表示部に表示するデータベースに記憶されたエラーの一つ一つに対して表示する、表示しないを選択するためのスイッチを設けることにより、制御装置に対して不要なエラー表示をキャンセルし、多数のエラーが発生した場合、各エラーの重要性判断、運用操作性を改善することができる制御装置が開示されている（例えば、特許文献１参照）。
【０００６】
また、分散システムにおけるセンター監視システムにおいて、分散された各システムからの障害または自動復旧の情報に対応して、障害メッセージまたは削除コマンドに変換し、この障害メッセージを監視コンソール上に表示すると共に、自動復旧の情報により変換された削除コマンドで、対応する障害メッセージを削除するセンター監視システムが開示されている（例えば、特許文献２参照）。
【０００７】
【特許文献１】特開２００３−１２２４２８号
【特許文献２】特開平１１−０９６０４３号
【発明の開示】
【発明が解決しようとする課題】
【０００８】
しかしながら、コンソール画面を監視・管理するオペレータは、エラー情報を確認し、修理または故障調査が必要か否かを確認した後に、発生したエラーに対する修理または故障調査のための技術者を手配する必要が生じる。
【０００９】
又、上記の制御装置及びセンター監視システムにおいては、発生したエラーに対する修理または故障調査のための技術者を手配する点については、記載や示唆はなく、また、現在知られている監視システムでは、修理・故障調査に関する情報を記憶したデータベースを検索し確認する必要が生じ、エラー発生時に、エラーの対応に時間を要するという問題が生じている。また、人手による技術者手配のため、手配済みか否かの確認ミスにより、重複して技術者手配または技術者手配漏れが生じるといった問題が生じることがある。さらに、オペレータは、コンソール画面のエラー情報の監視、エラー情報の内容確認、修理または故障調査が必要か否かの確認、必要な場合に技術者の手配等、業務が多岐に渡り、熟練するまでに時間を要するといった問題も生じ、オペレータにとって繁雑な作業を要する、といった問題が生じている。
【課題を解決するための手段】
【００１０】
上記問題を解決するための請求項１記載の警告表示システムは、複数の機器とネットワークを介して接続されており、前記複数の機器において発生するエラーを監視する監視システムからなる警告表示システムであって、前記監視システムは、機器において発生するエラーの内容及び前記機器を識別するための情報からなるエラー情報に対応付けて、前記エラーに対応する技術者の手配状況を表す手配状況情報を記憶するエラー記憶手段と、機器から送信される前記エラー情報を受信する受信手段と、前記受信手段によって受信したエラー情報に該当するエラー情報が、前記エラー記憶手段に存在しない場合は、手配状況情報を手配が済んでいないことを示す未手配として、前記エラー情報と共にエラー情報記憶手段へ記憶する手配状況登録手段と、前記エラー記憶手段によって記憶されたエラー情報に対応する手配状況情報が未手配の場合、オペレータへ通知を行う通知手段と、前記エラー記憶手段によって記憶された手配状況情報が未手配のエラー情報に対して、前記エラーに対応する技術者名を設定すると共に、前記手配状況情報を技術者手配済とする設定手段と、前記エラー情報記憶手段に記憶されたエラー情報を表示するための表示手段と、を備えたことを特徴とする。
【００１１】
また、請求項２に記載の警告表示システムは、請求項１に記載の警告表示システムであって、前記監視システムは、前記エラー情報記憶手段に記憶された手配状況情報が技術者手配済であるエラー情報に対して、修理または故障調査が完了したことを示す修理故障調査済を設定する修理故障調査設定手段を、更に備え、前記手配状況登録手段は、前記受信手段によって受信したエラー情報に該当するエラー情報が、前記エラー記憶手段に存在し、前記エラー記憶手段に記憶した前記エラー情報に対応する手配状況情報が、修理故障調査済である場合、前記受信したエラー情報と共に、手配状況情報を未手配としてエラー情報記憶手段へ記憶することを特徴とする。
【００１２】
また、請求項３に記載の警告表示システムは、請求項１または請求項２に記載の警告表示システムであって、前記手配状況登録手段によってエラー情報と手配状況情報をエラー情報へ記憶する際に、エラー発生回数を１回として登録することを特徴とする。また、請求項４に記載の警告表示システムは、請求項２または請求項３に記載の警告表示システムであって、前記エラー情報は、機器で発生したエラー発生日時を含むと共に、前記手配状況登録手段によって、前記受信手段によって受信したエラー情報に該当するエラー情報が、前記エラー記憶手段に存在し、前記エラー記憶手段に記憶した前記エラー情報に対応する手配状況情報が、修理故障調査済でない場合、前記受信したエラー情報、手配状況情報を未手配、最新のレコードのエラー発生回数に１を加算したエラー発生回数をエラー情報記憶手段へ記憶することを特徴とする。
【００１３】
また、請求項５に記載の警告表示システムは、請求項４に記載の警告表示システムであって、前記監視システムは、前記エラーの内容に対応付けて技術者の手配を必要とすべくエラー発生回数を記憶するエラー内容別回数記憶手段を、更に備え、前記設定手段は、前記エラー情報記憶手段によって記憶されたエラー情報に対応する手配状況情報が未手配であり、前記エラー情報に含まれるエラーの内容が、エラー内容別回数記憶手段に存在し、前記エラー情報に対応するエラー発生回数が、前記エラーの内容に対応する必要とすべくエラー発生回数以上である場合、前記エラーに対応する技術者を設定すると共に、前記手配状況情報を技術者手配済とすることを特徴とする。また、請求項６に記載の警告表示システムは、請求項５に記載の警告表示システムであって、前記設定手段において、前記エラー情報に対応するエラー発生回数が、前記エラーの内容に対応する必要とすべくエラー発生回数未満である場合、前記エラー情報に対応する前記手配状況情報を技術者手配不要とすることを特徴とする。
【００１４】
また、請求項７に記載の警告表示システムは、請求項６に記載の警告表示システムであって、前記手配状況登録手段によって、前記受信手段によって受信したエラー情報に該当するエラー情報が、前記エラー記憶手段に存在し、前記エラー記憶手段に記憶した前記エラー情報に対応する手配状況情報が、修理故障調査済でなく、技術者手配不要である場合、前記受信したエラー情報、手配状況情報を技術者手配済、最新のレコードのエラー発生回数に１を加算したエラー発生回数をエラー情報記憶手段へ記憶することを特徴とする。また、請求項８に記載の警告表示システムは、請求項１乃至請求項７に記載の警告表示システムであって、前記設定手段によって技術者が設定された場合、前記技術者へ通知を行うことを特徴とすることを特徴とする。
【００１５】
また、請求項９に記載の警告表示システムは、請求項２乃至請求項８に記載の警告表示システムであって、前記表示手段は、前記エラー情報記憶手段に記憶された手配状況情報が修理故障調査済のエラー情報を非表示とすることを特徴とする。
【００１６】
また、請求項１０に記載の警告表示システムは、請求項２乃至請求項９に記載の警告表示システムであって、前記表示手段は、前記エラー情報記憶手段に記憶された技術者名が未設定のエラー情報を網掛表示とすることを特徴とする。
【００１７】
また、請求項１１に記載の警告表示システムの制御方法は、複数の機器とネットワークを介して接続されており、前記複数の機器において発生するエラーを監視する監視システムからなる警告表示システムの制御方法であって、前記監視システムは、機器において発生するエラーの内容及び前記機器を識別するための情報からなるエラー情報に対応付けて、前記エラーに対応する技術者の手配状況を表す手配状況情報を記憶するエラー記憶工程と、機器から送信される前記エラー情報を受信する受信工程と、前記受信工程において受信したエラー情報に該当するエラー情報が、前記エラー記憶工程において存在しないと判定された場合は、手配状況情報を手配が済んでいないことを示す未手配として、前記エラー情報と共にエラー情報記憶工程へ記憶する手配状況登録工程と、前記エラー記憶工程において記憶されたエラー情報に対応する手配状況情報が未手配の場合、オペレータへ通知を行う通知工程と、前記エラー記憶工程において記憶された手配状況情報が未手配のエラー情報に対して、前記エラーに対応する技術者名を設定すると共に、前記手配状況情報を技術者手配済とする設定工程と、前記エラー情報記憶工程に記憶されたエラー情報を表示するための表示工程と、を備えたことを特徴とする。
【００１８】
また、請求項１２に記載のプログラムは、請求項１１に記載の警告表示システムの制御方法でコンピュータに実行させるためのコンピュータに読み取り可能なプログラムである。また、請求項１３に記載の記録媒体は、請求項１２に記載のプログラムを記録したコンピュータで読取り可能な記録媒体である。
【発明の効果】
【００１９】
本発明によって、機器で発生したエラーの内容及びエラーに対応する技術者の手配状況に応じて、技術者の手配が必要か否かを自動で判断することが可能となるので、オペレータの作業負荷を軽減することが可能となる。
【発明を実施するための最良の形態】
【００２０】
本発明の実施の形態について、図面を用いて説明する。図１は、本発明が適用される警告表示システムの概略構成を示す構成図である。警告表示システム１００における機器１０２は、インターネット１０４を介して、監視システム１０６に接続されている。機器１０２は、稼働中にエラーが発生すると、インターネット１０４を介して、そのエラーに関するエラー情報を監視システム１０６へ、送信する。
【００２１】
監視システム１０６は、受信したエラー情報を、機器で発生したエラー情報を記憶管理するためのエラーＤＢ１１０に記憶して、エラーの発生回数に応じて技術者の手配を行うか否かを判定するためのエラー内容別回数ＤＢ１１４を参照し、技術者手配が必要かを判断する。
技術者手配が必要と判断したエラー情報に関しては、修理あるいは故障の調査が必要なエラー情報を記憶するための修理故障調査ＤＢ１１２に登録する。修理故障調査ＤＢ１１２に登録したエラー情報は、ターミナル１０８に備えられたディスプレイに表示する。このエラー情報を表示する画面の例としては、後述の図４に示す技術者手配リクエスト一覧画面が表示される。
【００２２】
技術者手配リクエスト一覧画面を監視及び管理しているオペレータは、監視システム１０６よりメールで通知を受けたエラー情報を技術者手配リクエスト一覧画面で確認し、修理または故障調査が必要と判断したエラー情報に対し、技術者に関する所属及び技術者名等の情報を記憶した技術者ＤＢ１１６から、担当の技術者を決定することで、修理または故障調査する技術者の手配を行う。なお、技術者の手配の状況は、修理故障調査ＤＢ１１２に記憶される。
【００２３】
図２は、監視システム１０６のハードウエア構成を示す図である。
【００２４】
ＣＰＵ２０１は、システムバス２０４に接続される各デバイスやコントローラを統括的に制御する。また、ＲＯＭ２０２あるいは外部メモリ２１１には、ＣＰＵ２０１の制御プログラムであるＢＩＯＳ（Ｂａｓｉｃ  Ｉｎｐｕｔ／Ｏｕｔｐｕｔ  Ｓｙｓｔｅｍ）やオペレーティングシステムプログラム（以下、ＯＳ）や、監視システム１０６の実行する機能を実現するために必要な後述する各種プログラム等が記憶されている。
【００２５】
ＲＡＭ２０３は、ＣＰＵ２０１の主メモリ、ワークエリア等として機能する。ＣＰＵ２０１は、処理の実行に際して必要なプログラム等をＲＡＭ２０３にロードして、プログラムを実行することで各種動作を実現するものである。また、入力コントローラ２０５は、キーボード２０９や不図示のマウス等のポインティングデバイスからの入力を制御する。
【００２６】
ビデオコントローラ２０６は、ＣＲＴディスプレイ（ＣＲＴ）２１０等の表示器への表示を制御する。表示器はＣＲＴだけでなく、液晶ディスプレイでも構わない。メモリコントローラ２０７は、ブートプログラム、各種のアプリケーション、フォントデータ、ユーザファイル、データベース（ＤＢ）、各種データ等を記憶するハードディスク（ＨＤ）やＰＣＭＣＩＡカードスロットにアダプタを介して接続されるコンパクトフラッシュ（登録商標）メモリ等の外部メモリ２１１へのアクセスを制御する。
【００２７】
通信Ｉ／Ｆコントローラ２０８は、ネットワークを介して、外部機器と接続・通信するものであり、ネットワークでの通信制御処理を実行する。例えば、ＴＣＰ／ＩＰを用いたインターネット通信等が可能である。なお、ＣＰＵ２０１は、例えば、ＲＡＭ２０３内の表示情報用領域へアウトラインフォントの展開（ラスタライズ）処理を実行することにより、ＣＲＴ２１０上での表示を可能としている。
【００２８】
また、ＣＰＵ２０１は、ＣＲＴ２１０上の不図示のマウスカーソル等でのユーザ指示を可能とする。本発明を実現するための監視システムのプログラムは外部メモリ２１１に記録されており、必要に応じてＲＡＭ２０３にロードされることによりＣＰＵ２０１によって実行されるものである。さらに、本発明に係わるプログラムが用いる各種情報テーブル、データは外部メモリ２１１に格納されており、これらについての詳細な説明は後述する。
【００２９】
図３は、本発明に実施形態に係る監視システム１０６に備えられた各データベースのデータ構造を表す構成図である。
【００３０】
エラーＤＢ１１０は、機器１０２において発生したエラーの日時を表すエラー発生日時、エラー内容、機器１０２の機器の名称及び機器を識別するための機器番号を表す機器名・機番、同一機器名・機番及び同一エラー内容のエラーが何回発生したかを表すエラー発生回数、エラーに対して技術者の手配の状況を表す技術者手配状況、機器１０２で発生したエラーに対して修理または故障調査を行った日時を表す修理・故障調査日時、エラーの対応を行う担当技術者を表す技術者名といった項目を含んで構成される。
【００３１】
技術者手配状況には、エラーに対して、修理または故障調査が既に済んでいることを表す修理・故障調査済、技術者の手配は不要であることを表す技術者手配不要、既に技術者の手配が済んでおり未だ修理または故障調査が済んでいないことを表す技術者手配済が設定され、この設定された情報に応じて、技術者の手配が必要か否か判断される。
【００３２】
修理故障調査ＤＢ１１２は、上記と同一の項目に対しては説明を省略するが、機器名・機番、エラー発生日時、エラー内容、エラー発生回数、技術者名といった項目を含んで構成されており、機器１０２で発生したエラーに対応する担当の技術者を管理するためのデータベースである。
【００３３】
エラー内容別回数ＤＢ１１４は、修理故障調査ＤＢ１１２の説明と同じように、同一の項目に対しては説明を省略するが、エラー内容、エラー発生回数から構成されており、エラーの発生回数に応じて、即時に対応するべきエラーであるのか、あるいは所定回数以上の発生回数が生じた場合のみ対応するエラーであるのかを判定するために用いるデータベースである。
【００３４】
例えば、機器１０２で発生したエラーが、スパナエラーである場合は、該機器１０２でのスパナエラーの発生回数が、２回以上になると、このエラーに対応するための技術者を手配するが、１回発生した場合は、技術者の手配を行わないことになる。
【００３５】
技術者ＤＢは、エラーに対応する担当技術者が所属している組織を表す所属、技術者を一意に識別するための技術者ＩＤ、技術者ＩＤに対する技術者名を含んで構成されている。このデータベースに記憶されている技術者に関する情報を後述の図６に示す技術者一覧画面で一覧参照することで、エラーへ対応する技術者を選択することが可能となる。
【００３６】
図４は、ＣＲＴ２１０に表示される技術者手配リクエスト一覧画面においてエラー情報の表示を行った１例を示した構成図である。
【００３７】
技術者手配リクエスト一覧画面は、修理・故障調査ＤＢ１１２に登録された機種名・機番、エラー内容、技術者名、エラー発生日時、エラー発生回数をこの順で表示し、エラー発生日時の古い順にレコードを一覧表示する。
【００３８】
技術者手配リクエスト一覧画面には、オペレータが参照しやすいような所定レコード数まで表示するように制御することが可能であり、例えば、最大で１０レコードまでを表示し、それ以上が修理・故障調査ＤＢ１１２に登録されている場合は、ページ切換えボタン（次ページ）を押下すると次の１０レコードあるいは、ページ切換えボタン（前ページ）を押下すると前１０レコードを表示する。
【００３９】
技術者手配リクエスト一覧画面の右下部には、エラー詳細・履歴ボタンが備えられており、オペレータが技術者手配リクエスト一覧画面に一覧表示されているエラー情報のいずれか１つをマウスカーソル（不図示）で選択し、エラー詳細・履歴ボタンを押下すると、修理・故障調査一覧画面（図５参照）が表示され、選択した機種名・機番と一致するレコードをエラーＤＢ１１０から検索し、過去発生したエラー発生日時、エラー発生回数、エラー内容、技術者名およびエラーの修理・故障調査日時をエラー発生日時の降順に表示する。
【００４０】
また、技術者手配リクエスト一覧画面の右下部に、もう一つのボタン、技術者手配ボタンがある。オペレータが、技術者手配リクエスト一覧画面に一覧表示されているエラー情報のいずれか１つをマウスカーソル（不図示）で選択し、技術者手配ボタンを押下すると、選択した機種名・機番に対する修理・故障調査を担当する技術者を選択するための技術者一覧画面（図６参照）が表示される。
【００４１】
図６に示す技術者一覧画面では、技術者ＤＢ１１６に登録されている所属、技術者ＩＤ、及び技術者名が一覧表示され、オペレータが、手配する技術者をマウスカーソル（不図示）で選択し、確定ボタンを押下する。
【００４２】
確定ボタンを押下すると、修理・故障調査一覧画面で選択したエラー情報に対する技術者名の項目に対して、技術者一覧画面で選択した技術者の氏名を設定し、修理故障調査ＤＢ１１２へ登録するとともに、修理・故障調査一覧画面で選択したエラー情報に対する技術者名の項目に対して、技術者一覧画面で選択した技術者の氏名を設定し、エラーＤＢ１１０へ登録する。また、技術者手配リクエスト一覧画面の技術者名には、技術者一覧画面で選択した技術者の氏名を表示する。
【００４３】
図７及び図８は、監視システム１０６における基本的な処理フローを示したフローチャートである。尚、これらのフローチャートの各ステップにおける処理は、ＣＰＵ２０１の制御下の元に制御される。
【００４４】
まず、ステップＳ１００では、機器１０２において、エラーが発生すると、エラー発生日時、エラー内容、機器名・機番を含むエラー情報が送信され、監視システム１０６に備えられた通信Ｉ／Ｆコントローラ２０８を介して、エラー情報を受信し、ＲＡＭ２０３へ記憶する。
【００４５】
次に、ステップＳ１０２では、ＲＡＭ２０３へ記憶したエラー情報をエラーＤＢ１１０へ登録し、次のステップＳ１０４では、エラー情報に含まれる同一機器名・機番、エラー内容のデータが、エラーＤＢ１１０に予め登録されているか否かを判定する。予め登録されていない場合は、ステップＳ１０６へ進み、予め登録されていない場合は、ステップＳ１０８へ進む。
【００４６】
ステップＳ１０６では、新規のエラー情報であり、エラー情報に含まれるエラー内容に対して、技術者の手配を未だ行っていない状況であるので、エラーＤＢ１１０の技術者手配状況の項目には、未手配を登録し、エラー発生回数の項目には、１回を登録する。
【００４７】
ステップＳ１０８では、ステップＳ１０４において、エラー情報に含まれる同一機器名・機番、エラー内容のデータが、エラーＤＢ１１０に予め登録されている場合は、同一であるレコードのうち、エラー発生日時が、最新のレコードをエラーＤＢ１１０から取得しＲＡＭ２０３へ記憶する。
【００４８】
ステップＳ１１０では、ステップＳ１０８においてＲＡＭ２０３へ記憶した最新のレコードの技術者手配状況の項目が、修理・故障調査済であるか否かを判定し、修理・故障調査済である場合は、ステップＳ１１２へ処理を進め、修理・故障調査済でない場合は、ステップＳ１１４へ処理を進める。
【００４９】
ステップＳ１１２では、今回発生したエラーが、以前発生したエラーと同一のエラーが新たに発生したと判定され、エラーＤＢ１１０の技術者手配状況の項目には未手配、エラー発生回数の項目には１回を登録すると共に、ＲＡＭ２０３へエラー発生回数を記憶する。
【００５０】
ステップＳ１１４では、ステップＳ１０８においてＲＡＭ２０３へ記憶した最新のレコードの技術者手配状況の項目が、技術者手配不要であるか否かを判定し、技術者手配不要である場合は、ステップＳ１１６へ処理を進め、技術者手配不要でない場合は、ステップＳ１１８へ処理を進める。
【００５１】
ステップＳ１１６では、今回発生したエラーが、以前発生したエラーと同一のエラーが新たに発生したと判定され、エラーＤＢ１１０の技術者手配状況の項目には未手配、エラー発生回数には、ステップＳ１０８においてＲＡＭ２０３へ記憶した最新のレコードのエラー発生回数に１を加算して登録する共に、ＲＡＭ２０３へエラー発生回数を記憶する。
【００５２】
ステップＳ１１８では、ステップＳ１０８においてＲＡＭ２０３へ記憶した最新のレコードの技術者手配状況の項目が、技術者手配済であるか否かを判定し、技術者手配済である場合は、ステップＳ１２０へ処理を進め、技術者手配済でない場合は、エラーとして処理を終了する。
【００５３】
ステップＳ１２０では、今回発生したエラーが、以前発生したエラーと同一のエラーが発生し、このエラーに対して技術者を手配したものの、エラーの発生した機器１０２に対して修理または故障調査を行っていない状況であるため、エラーＤＢ１１０の技術者手配状況の項目には、技術者手配済、エラー発生回数には、ステップＳ１０８においてＲＡＭ２０３へ記憶した最新のレコードのエラー発生回数に１を加算して登録して、処理を終了する。
【００５４】
ステップＳ１２２では、ステップＳ１００においてＲＡＭ２０３へ記憶したエラー情報に含まれるエラー内容が、エラー内容別回数ＤＢ１１４に予め登録されているか否かを判定し、予め登録されている場合は、ステップＳ１２４へ処理を進め、予め登録されていない場合は、ステップＳ１３０へ処理を進める。
【００５５】
ステップＳ１２４では、ステップＳ１００においてＲＡＭ２０３へ記憶したエラー情報に含まれるエラー内容とエラー内容別回数ＤＢ１１４に記憶されたエラー内容と、が一致するレコードを取得し、ＲＡＭ２０３へ記憶する。
【００５６】
ステップＳ１２６では、ステップＳ１２４でＲＡＭ２０３へ記憶したレコードからエラー発生回数を取得し、取得したエラー発生回数（エラー内容別回数ＤＢ１１４に登録されているエラー発生回数）と、ステップＳ１１２あるいはステップＳ１１６において、ＲＡＭ２０３へ記憶したエラー発生回数を取得し、取得したエラー発生回数（今回、機器１０２で発生したエラー発生回数）と、を比較し、今回、機器１０２で発生したエラー発生回数が、エラー内容別回数ＤＢ１１４に登録されているエラー発生回数以上であるか否かを判定する。この判定を行う理由は、前述のエラー内容別回数ＤＢ１１４における説明の通りである。
【００５７】
機器１０２で発生したエラー発生回数が、エラー内容別回数ＤＢ１１４に登録されているエラー発生回数以上である場合は、ステップＳ１３０へ処理を進め、機器１０２で発生したエラー発生回数が、エラー内容別回数ＤＢ１１４に登録されているエラー発生回数未満である場合は、ステップＳ１２８へ処理を進める。
【００５８】
ステップＳ１２８では、今回、機器１０２において発生したエラーに対応すする技術者の手配を行う必要がないため、エラーＤＢ１１０の技術者手配状況の項目には、技術者手配不要を登録し、処理を終了する。
【００５９】
ステップＳ１３０では、修理故障調査ＤＢ１１２へ、機器名・機番、エラー発生日時、エラー内容、エラー発生回数等の技術者手配情報を記憶する。ステップＳ１００、及びステップＳ１１２あるいはステップＳ１１６のＲＡＭ２０３へ記憶したエラー情報及びエラー発生回数を修理故障調査ＤＢ１１２へ登録する。また、技術者名の項目には、技術者未手配を登録する。
【００６０】
ステップＳ１３２では、ステップＳ１１２あるいはステップＳ１１６において、エラーＤＢ１１０を登録したレコードの技術者手配状況の項目に、技術者手配済を登録する。
【００６１】
ステップＳ１３４では、技術者手配リクエスト一覧画面のリフレッシュを行うことで、最新の情報を表示させ、次のステップＳ１３６では、技術者手配リクエスト一覧画面を監視及び管理するオペレータへ、エラー情報が追加表示された旨をメールで通知する。ステップＳ１３４では、技術者名の項目に、技術者未手配が設定されていないエラー情報に対しては網掛表示を行うことで、オペレータが識別しやすいように表示を制御することも可能である。
【００６２】
図９は、図８で前述したようにメールで通知を受け取ったオペレータが、技術者手配リクエスト一覧画面を使用して、機器１０２で発生したエラーに対応する技術者の手配を行う処理について、基本的な処理フローを表すフローチャートである。尚、これらのフローチャートの各ステップにおける処理は、ＣＰＵ２０１の制御下の元に制御される。
【００６３】
ステップＳ２００では、オペレータによって技術者手配リクエスト一覧画面に一覧表示されているエラー情報のいずれか１つが、マウスカーソル（不図示）によって選択されたか否かを判定し、選択された場合は、ステップＳ２０２へ処理を進める。
【００６４】
ステップＳ２０２では、オペレータによって技術者手配ボタンが押下されたか否かを判定し、押下された場合は、ステップＳ２０４へ処理を進める。
【００６５】
ステップＳ２０４では、ＣＲＴ２１０へ技術者一覧画面（図６参照）を表示する。
【００６６】
ステップＳ２０６では、オペレータによって技術者一覧画面に一覧表示された技術者のいずれか１つが、マウスカーソル（不図示）によって選択されたか否かを判定し、選択された場合は、ステップＳ２０８へ処理を進める。
【００６７】
ステップＳ２０８では、オペレータによって確定ボタンが押下されたか否かを判定し、押下された場合は、ステップＳ２０６において選択した技術者名をＲＡＭ２０３へ記憶し、ステップＳ２１０へ処理を進める。
【００６８】
ステップＳ２１０で選択したエラー情報に対応する修理・故障調査一覧画面の技術者名の項目に対して、ステップＳ２０８においてＲＡＭ２０３へ記憶した技術者名を取得し設定表示すると共に、エラーＤＢ１１０及び修理故障調査ＤＢ１１２の技術者の項目に、ステップＳ２０８においてＲＡＭ２０３へ記憶した技術者名を登録する。
【００６９】
ステップＳ２１２では、ステップＳ２０８においてＲＡＭ２０３へ記憶した技術者名に該当する技術者へエラー情報を含めてメールで通知を行う。
【００７０】
尚、ステップＳ１３６及びステップＳ２１２におけるメールの通知は、オペレータ及び技術者に対応付けてメールアドレスを外部メモリ２１１へ予め記憶し、本ステップにおいて記憶されたメールアドレスを使用することによって実施可能である。
【００７１】
図１０は、図９で前述したようにメール通知を受け取った技術者が、エラーが発生した機器の修理または故障調査を行った実績を登録管理するための処理を表すフローチャートである。尚、これらのフローチャートの各ステップにおける処理は、ＣＰＵ２０１の制御下の元に制御される。
【００７２】
まず、ステップＳ３００では、メール通知を受けた技術者によって、技術者手配リクエスト画面に一覧表示されたエラー情報がマウスカーソル（不図示）によって選択されたか否かを判定し、選択された場合は、ステップＳ３０２へ処理を進める。
【００７３】
ステップＳ３０２では、技術者によってエラー詳細・履歴ボタンが押下されたか否かを判定し、エラー詳細・履歴ボタンが押下された場合は、ステップＳ３０４へ処理を進め、エラー詳細・履歴ボタンが押下されない場合は、ステップＳ３１２へ処理を進める。
【００７４】
ステップＳ３０４では、修理・故障調査一覧画面（図５参照）を表示し、修理・故障調査一覧画面に表示されたエラー発生日時、エラー発生回数、エラー内容、技術者名、及び修理・故障調査日時からなる修理・故障調査情報を一覧表示する。
【００７５】
次のステップ３０６では、技術者によって閉じるボタンが押下れたか否かを判定し、閉じるボタンが押下された場合は、ステップＳ３０８へ処理を進める。
【００７６】
ステップＳ３０８では、修理・故障調査一覧画面を閉じて、ステップＳ３００へ処理を進める。
【００７７】
ステップＳ３１０では、修理・故障調査情報が、技術者によって選択されたか否かを判定し、選択された場合は、ステップＳ３１２へ処理を進める。
【００７８】
ステップＳ３１２では、技術者によって修理・故障調査登録ボタンが押下されたか否かを判定し、修理・故障調査登録ボタンが押下された場合は、ステップＳ３１４へ処理を進める。
【００７９】
ステップＳ３１４では、技術者によって修理・故障調査日時が入力されたか否かを判定し、入力された場合は、ステップＳ３１６へ処理を進める。修理・故障調査日時の入力は、修理・故障調査一覧画面（図５参照）を表示させ、修理・故障調査日時の項目に入力する方法や、あるいは修理・故障調査日時を入力するための画面を表示させ技術者に入力するように促してもよい。
【００８０】
ステップＳ３１６では、ステップＳ３１０で選択された修理・故障情報に含まれるエラー発生日時、エラー内容、機器名・機番と、エラーＤＢ１１０に記憶されているエラー発生日時、エラー内容、機器名・機番と一致するレコードの修理故障調査日時及び技術者手配状況の項目に、ステップＳ３１４で入力された修理・故障調査日時及び修理・故障調査済を登録し、処理を終了する。
【００８１】
尚、技術者手配リクエスト画面に一覧表示されるエラー情報は、メール通知を受け取った技術者が、技術者手配リクエスト画面へログインを行うために、自身の技術者名を入力することによって、入力された技術者名と一致するエラー情報のみを表示制御することによって、技術者にとって対応すべきエラーが識別しやすくなるため、作業負荷の軽減を行うことが可能となる。
【００８２】
また、技術者手配リクエスト一覧画面には、修理・故障調査日時が設定されているレコードに対して非表示とするように表示制御を行ってもよい。
【００８３】
更に、技術者手配リクエスト一覧画面に示されるように、機器名・機番の設置場所を表すデータベースを作成することで、技術者手配リクエスト一覧画面に何処の場所で、どの機器に故障が発生しているのかについて把握することも可能である。
【００８４】
以上、上記実施において、  本発明によって、機器で発生したエラーの内容及びエラーに対応する技術者の手配状況に応じて、技術者の手配が必要か否かを自動で判断することが可能となるので、オペレータの作業負荷を軽減することが可能となる。
【００８５】
［その他の実施例］
また、本発明は、例えば、方法、プログラムもしくは記憶媒体等としての実施態様をとることも可能である。
【００８６】
すなわち、本実施形態における図７乃至図１０のフローチャート及び，図４乃至図６の画面に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００８７】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【００８８】
この場合、記録媒体から読み出されたプログラムコード自体が本発明の新規な機能を実現することになり、そのプログラムコードを記憶した記録媒体は本発明を構成することになる。
【００８９】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００９０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９１】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【図面の簡単な説明】
【００９３】
【図１】本発明の実施形態に係る警告表示システムの概略構成を示す構成図である。
【図２】本発明の実施形態に係る監視システムのハードウエア構成を示す構成図である。
【図３】本発明の実施形態に係る監視システムに備えられたデータベースの構成を表す構成図である。
【図４】本発明の実施形態に係る技術者手配をリクエストするための画面を表す構成図である。
【図５】本発明の実施形態の修理または故障調査の一覧を参照するための画面を表す構成図である。
【図６】本発明の実施形態の機器で発生したエラーに対応する技術者を選択するための画面を表す構成図である。
【図７】本発明の実施形態に係る監視システムにおいて、機器で発生したエラーを受信し、自身に備えられたデータベースにエラーに関する情報を登録する処理を表すフローチャートである。
【図８】本発明の実施形態に係る監視システムにおいて、機器で発生したエラーを受信し、自身に備えられたデータベースにエラーに関する情報を登録する処理を表すフローチャートである。
【図９】本発明の実施形態に係る監視システムにおいて、技術者を手配する処理を表すフローチャートである。
【図１０】本発明の実施形態に係る監視システムにおいて、機器で発生したエラーに対して、修理または故障調査を実施した実績を登録する処理を表すフローチャートである。
【符号の説明】
【００９４】
１００    警告表示システム
１０２    機器
１０４    インターネット
１０６    監視システム
１０８    ターミナル
１１０    エラーＤＢ
１１２    修理・故障調査ＤＢ
１１４    エラー内容別回数ＤＢ
１１６    技術者ＤＢ
２０１    ＣＰＵ
２０２    ＲＯＭ
２０３    ＲＡＭ
２０４    システムバス
２０５    入力コントローラ
２０６    ビデオコントローラ
２０７    メモリコントローラ
２０８    通信Ｉ／Ｆコントローラ
２０９    キーボード
２１０    ＣＲＴディスプレイ
２１１    外部メモリ
【図１】
2010157143.tif 000003
【図２】
2010157143.tif 000004
【図３】
2010157143.tif 000005
【図４】
2010157143.tif 000006
【図５】
2010157143.tif 000007
【図６】
2010157143.tif 000008
【図７】
2010157143.tif 000009
【図８】
2010157143.tif 000010
【図９】
2010157143.tif 000011
【図１０】
2010157143.tif 000012